(57)【要約】【課題】タッチパネルに載置した後でユーザが手を離した場合であっても情報端末に位置や属性を認識させることができるミニマウスを提供する。【解決手段】絶縁性の筐体と、筐体に設けた少なくとも１つの電極と、一端が電極に接続された所定の長さの絶縁電線と、を備え、電極が情報端末の静電容量式のタッチパネルに接触すると、情報端末に所定の時間だけ信号を発する。【選択図】図１
2016106285.tif 000002
【特許請求の範囲】
【請求項１】
絶縁性の筐体と、前記筐体に設けた少なくとも１つの電極と、一端が前記電極に接続された所定の長さの絶縁電線と、を備え、前記電極が情報端末の静電容量式のタッチパネルに接触すると、前記情報端末に所定の時間だけ信号を発することを特徴とするミニマウス。
【請求項２】
前記電極が複数の場合であって、前記各電極を所定の長さの絶縁電線で短絡したことを特徴とする請求項１記載のミニマウス。
【請求項３】
前記絶縁電線の代わりにコンデンサで前記各電極間を接続したことを特徴とする請求項２記載のミニマウス。
【請求項４】
前記筐体の形状がフィギア、球体、直方体、及びペンのいずれかであることを特徴とする請求項１記載のミニマウス。
【請求項５】
前記電極は、金属または導電性弾性体もしくはこれらの組み合わせであることを特徴とする請求項１又は２記載のミニマウス。
【請求項６】
前記絶縁電線の代わりに導電性薄膜を用いたことを特徴とする請求項１又は２記載のミニマウス。
【請求項７】
前記筐体の内側を導電性薄膜が覆ったことを特徴とする請求項１又は４記載のミニマウス。
【発明の詳細な説明】
【技術分野】
【０００１】
本発明は、タッチパネル上に載置するミニマウスに関する。
【背景技術】
【０００２】
近年、情報端末の進展に伴い、スレート型、スマートフォン型、スマートブック型等が開発されている。これらの情報端末にはタッチパネルが用いられ、ジェスチャー入力やタッピング等により操作することができるようになっている。
【０００３】
タッチパネルには、投影型静電容量結合方式、抵抗膜方式、超音波表面弾性波方式があるが、スレート型やスマートフォン型には、水滴、油、埃に強く、透過率、耐久性、対傷性の観点から投影型静電容量結合方式を用いることが多い。
【０００４】
図１５（ａ）〜（ｃ）は、一般的な投影型静電容量結合方式のタッチパネルの説明図である。
この種のタッチパネル１は、より小さな画面サイズ（例えば、数ｃｍ角〜２０ｃｍ角程度）に用いられる場合が多く、昨今では携帯機器において注目度が非常に高い。iPhone(登録商標)、iPad touch(登録商標)、iPad(登録商標)もこの投影型静電容量結合方式によって、応答速度が速く高精度のマルチタッチ操作を実現している。タッチパネル１の内部構造については、演算処理IC(Integrated Circuit)を搭載したガラス基板４上に、特定のパターンで大量に並べたＸ軸用の透明電極層３ａ、Ｙ軸用の透明電極層３ｂからなる電極層３を配置し、表面にガラスやプラスチック等の保護カバー２を重ねている。通常、タッチパネルの真下には、例えば液晶表示素子が配置されている。
【０００５】
このタッチパネル１の表面に指を近づけると複数の電極間の静電容量が同時に変化するが、この電流量の比率を測定することで高精度に位置を特定することができる。
【０００６】
ところで、この種の情報端末のタッチパネル上に載置して座標を検知させたり、信号を発したりするミニマウスが提案されている（例えば、特許文献１参照）。
特許文献１に記載の発明は、「ミニマウス」に関するものであり、具体的には「アルミニウム等の導電性材料にて指先で握れる大きさに成形してなる缶状（円柱状）のミニチュア電極体であり、マウス本体の局部に孔部を形成せしめる。マウス本体は、例えば、直径１８〜２０×高さ３０ｍｍ程の中空円筒体を呈しており、接地面が後述する電極線間隔の２倍程以上の直径を有する。従って、マウスパッドの上にタッチされた場合、換言すれば、読み取りの領域内に置かれた場合は、必ず、マウスパッドのＸ、Ｙ両軸の電極線に並列に信号が供給されるため、キーボードユニットに位置データとして認識され、座標の検出ができる」ものである。
【先行技術文献】
【特許文献】
【０００７】
【特許文献１】実用新案登録第３１４６８０４号公報
【発明の概要】
【発明が解決しようとする課題】
【０００８】
しかしながら、上述した特許文献１に記載の発明は、ユーザが常にミニマウスを指先で押さえたり、クリックしたりしなければならず、ミニマウスから指を放した場合には認識することができない。このため、例えば、ミニマウスを玩具や教材等に利用する場合には不都合が生じる。
【０００９】
そこで、本発明の目的は、タッチパネルに載置した後でユーザが手を離した場合であっても情報端末に位置や属性を認識させることができるミニマウスを提供することにある。
【課題を解決するための手段】
【００１０】
上記課題を解決するため、請求項１に記載の発明は、絶縁性の筐体と、前記筐体に設けた少なくとも１つの電極と、一端が前記電極に接続された所定の長さの絶縁電線と、を備え、前記電極が情報端末の静電容量式のタッチパネルに接触すると、前記情報端末に所定の時間だけ信号を発することを特徴とする。
【００１１】
請求項２に記載の発明は、請求項１記載の発明において、前記電極が複数の場合であって、前記各電極を所定の長さの絶縁電線で短絡したことを特徴とする。
【００１２】
請求項３に記載の発明は、請求項２記載の発明において、絶縁電線の代わりにコンデンサで前記各電極間を接続したことを特徴とする。
【００１３】
請求項４に記載の発明は、請求項１記載の発明において、前記筐体の形状がフィギア、球体、直方体、及びペンのいずれかであることを特徴とする。
【００１４】
請求項５に記載の発明は、請求項１又は２記載の発明において、金属または導電性弾性体もしくはこれらの組み合わせであることを特徴とする。
【００１５】
請求項６に記載の発明は、請求項１又は２記載の発明において、前記絶縁電線の代わりに金属薄膜または導電性薄膜を用いたことを特徴とする。
【００１６】
請求項７に記載の発明は、請求項１又は４記載の発明において、前記筐体の内側を導電性薄膜が覆ったことを特徴とする。
【発明の効果】
【００１７】
本発明によれば、タッチパネルに載置した後でユーザが手を離した場合であっても情報端末に位置や属性を認識させることができるミニマウスの提供を実現することができる。
【図面の簡単な説明】
【００１８】
【図１】一実施形態に係るフィギア型のミニマウスの透視図である。
【図２】図１に示したミニマウスの電極を情報端末のタッチパネル上に接触させた状態を示す図である。
【図３】図２に示したミニマウスを、手でタッチパネル上を移動させた状態を示す図である。
【図４】（ａ）は、他の実施形態に係る直方体型のミニマウスの筐体本体の斜視図であり、（ｂ）は蓋の斜視図であり、（ｃ）は、（ａ）に示した筐体本体の底面図である。
【図５】他の実施形態に係る直方体型のミニマウスの外観斜視図である。
【図６】図５に示したミニマウスをタッチパネル上で蛇行させた状態を示す図である。
【図７】他の実施形態に係るペン型のミニマウスの外観斜視図である。
【図８】図７に示したミニマウスをタッチパネル上で移動させた状態を示す図である。
【図９】他の実施形態に係るフィギア型のミニマウスの透視図である。
【図１０】図９に示したミニマウスをタッチパネル上で移動させた状態を示す図である。
【図１１】他の実施形態に係る球体型のミニマウスの斜視図である。
【図１２】（ａ）は、他の実施形態に係る球体型のミニマウスの斜視図であり、（ｂ）は、（ａ）の領域Ａの拡大図である。
【図１３】（ａ）は、他の実施形態に係る直方体型のミニマウス１０−８の開放状態の斜視図であり、（ｂ）は、（ａ）のXIIIｂ−XIIIｂ線断面図である。
【図１４】（ａ）は、他の実施形態に係る直方体型のミニマウス１０−９の筐体本体の斜視図であり、（ｂ）は、（ａ）の矢印Ｂ方向の矢視図であり、（ｃ）は、蓋１１−９ａの内面側の斜視図である。
【図１５】一般的な投影型静電容量結合方式のタッチパネルの説明図である。
【発明を実施するための形態】
【００１９】
以下、本発明に係る実施形態について図面を参照して説明する。
［実施形態１］
＜構  成＞
図１は、一実施形態に係るフィギア型のミニマウスの透視図である。
ミニマウス１０−１は、絶縁性の筐体１１−１と、筐体１１−１の底板１１−１ｂに設けられた複数（図では３個であるが限定されない。）の電極Ｐ１、Ｐ２、Ｐ３と、各電極Ｐ１〜Ｐ３間を所定の長さで短絡する絶縁電線Ｌ１、Ｌ２、Ｌ３と、を有する。
【００２０】
筐体１１−１は、本体１１−１ａと底板１１−１ｂとで構成された中空成型体であり、例えばＰＶＣ（ポリ塩化ビニル）が挙げられるが、本発明はこれに限定されるものではなく、ユリア樹脂、ＡＢＳ樹脂等他の樹脂を用いてもよい。また、筐体１１−１は、中空でなく、内部に樹脂が充填されていてもよい。筐体１１−１の形状は、図１ではフィギアであるが限定されるものではなく、乗り物や建物であってもよい。
【００２１】
電極Ｐ１〜Ｐ３は、金属（例えば、アルミニウム、真鍮、銅、クロムメッキ鋼、ニッケル等）からなるが、導電性弾性体（例えば、導電ウレタンスポンジ、導電シリコーンゴム等）又は導電性薄膜で構成してもよい。
絶縁電線Ｌ１〜Ｌ３は、例えば同軸ケーブルが用いられるが、本発明はこれに限定されるものではなく、ビニル線、ポリエチレン線、フッ素樹脂線、天然ゴム線、ブチルゴム線のいずれでもよい。絶縁電線Ｌ１〜Ｌ３の所定の長さとしては、ミニマウス１０−１が情報端末４０で認識可能な長さ、例えば、２０ｃｍ以上、好ましくは２４ｃｍ〜３０ｃｍ程度が挙げられる。
【００２２】
電極Ｐ１〜Ｐ３と、絶縁電線Ｌ１〜Ｌ３との接続は、カシメ、はんだ付け、ろう付け、もしくは圧着端子を用いたネジ止めのいずれの手段を用いてもよい。
【００２３】
＜作  用＞
図２は、図１に示したミニマウスの電極を情報端末のタッチパネル上に接触させた状態を示す図である。図３は、図２に示したミニマウスを、手でタッチパネル上を移動させた状態を示す図である。
【００２４】
図２に示すようにミニマウス１０−１を指で持ってスレート型の情報端末４０のタッチパネル４１に載置する。この場合、ミニマウス１０−１の筐体１１−１及び絶縁電線Ｌ１〜Ｌ３の被覆は絶縁体であり、誘電体と見なすことができる。従って、ユーザの指と、ミニマウス１０−１の筐体１１−１と、絶縁電線Ｌ１〜Ｌ３の被覆と、電極Ｐ１〜Ｐ３とが一種のコンデンサ（キャパシタとも言う。）を構成する。このため、情報端末４０からの電荷が、電極Ｐ１〜Ｐ３、絶縁電線Ｌ１〜Ｌ３、及び筐体１１−１に移動し、ユーザの指へ移動する。
情報端末４０は、ミニマウス１０−１の電極Ｐ１〜Ｐ３の位置を認識し、電極Ｐ１〜Ｐ３の個数と座標とから予め図示しないテーブルに格納されたデータと照合してミニマウス１０−１の属性（例えば、ミニマウスの種類、向き、コマンド等）を判断する。
【００２５】
図３に示すようにそのままミニマウス１０−１を移動させて指を離して載置すると、タッチパネル４１の真下に設けられた液晶表示素子は、電極Ｐ１〜Ｐ３の軌跡に沿ったパターン４２−１を表示する。尚、パターン４２−１の形状は図示した形状に限定されるものではない。
【００２６】
すなわち、本実施形態は、投影型静電容量結合方式のタッチパネルに対して直接指で触れた状態と同じように、タッチパネルとの間の静電容量の変化を利用して、ミニマウスの底面の突起物である電極Ｐ１〜Ｐ３の座標の変化を静電容量の変化として検出するものである。
【００２７】
つまり、ミニマウス１０−１は、電極Ｐ１〜Ｐ３が情報端末の静電容量式のタッチパネル４１に接触すると、情報端末４０に所定の時間（例えば、数秒〜数分程度）だけ信号を発するものである。
【００２８】
この場合、タッチパネルに接触している突起物としての電極Ｐ１〜Ｐ３と、ミニマウス１０−１を持つユーザの手とは直接接触していない。
電極Ｐ１〜Ｐ３に接続された絶縁電線としての同軸ケーブルがアースの役割をし、電極Ｐ１〜Ｐ３に接触したタッチパネル４１の部分の静電容量が減少する。
しかし、そのままでは、電極Ｐ１〜Ｐ３は安定した電界を構成し、タッチパネル４１の静電容量値は安定するので、位置検出はできなくなる。
本実施形態は、ミニマウス１０−１の筐体１１−１内に収容された導電性の高い同軸ケーブルにタッチパネル４１からの電荷を蓄積し、筐体１１−１の外部で接触するユーザの指に放電する。これにより、ユーザの指とは非接触でありながら、タッチパネル４１上の静電容量に電極Ｐ１〜Ｐ３で変化を与え続け、電極Ｐ１〜Ｐ３の位置や移動を検出し続けることができる。
【００２９】
［実施形態２］
図４（ａ）は、他の実施形態に係る直方体型のミニマウスの筐体本体の斜視図であり、図４（ｂ）は蓋の斜視図であり、図４（ｃ）は、図４（ａ）に示した筐体本体の底面図である。尚、実施形態１に示した部材と同様の部材には共通の符号を用いた。
図４（ａ）〜（ｃ）に示す実施の形態の図１に示した実施の形態との相違点は、筐体が直方体である点である。
【００３０】
すなわち、本実施形態のミニマウス１０−２は、直方体形状の筐体本体１１−２ｂと、筐体本体１１−２ｂの底面に設けられた複数（例えば、３個）の電極Ｐ１〜Ｐ３と、各電極Ｐ１〜Ｐ３を短絡させる所定の長さ（例えば、２０ｃｍ以上、好ましくは２４ｃｍ〜３０ｃｍ）の絶縁電線Ｌ１〜Ｌ３と、を有する。１１−２ａは蓋であり、蓋１１−２ａと、筐体本体１１−２ｂとで筐体１１−２を構成する。
筐体１１−２の材質は樹脂が挙げられる。
電極Ｐ１〜Ｐ３の材質は導電性弾性体（例えば、導電性スポンジ、もしくは導電性シリコーンゴム）が挙げられる。
このようなミニマウス１０−２においても、図１に示した実施の形態と同様の効果が得られる。
尚、図では筐体１１−２は、中空の直方体であるが、本発明はこれに限定されるものではなく、上面がスライド式の蓋であって、筐体本体に仕切を設け、錠菓（タブレット菓子とも言う）を収容するように構成してもよい。
【００３１】
［実施形態３］
図５は、他の実施形態に係る直方体型のミニマウスの外観斜視図である。図６は、図５に示したミニマウスをタッチパネル上で蛇行させた状態を示す図である。
図５に示す実施の形態の図１に示した実施の形態との相違点は、電極の数を２個とした点である。
【００３２】
すなわち、図５に示すミニマウス１０−３は、直方体形状の筐体１１−３と、筐体１１−３の底面１１−３ｂに設けられた２個の電極Ｐ１、Ｐ２と、電極Ｐ１と電極Ｐ２とを短絡させる破線で示す絶縁電線Ｌ１と、を有する。
筐体１１−３の材質は樹脂が挙げられる。
このミニマウス１０−３を使用する際は、筐体１１−３の側面１１−３ａを指で掴み、電極Ｐ１、Ｐ２がタッチパネル４１に接触するように蛇行させると、ミニマウス１０−３の軌跡に沿って図６に示すようなパターン４２−２が液晶表示素子に表示される。
【００３３】
［実施形態４］
図７は、他の実施形態に係るペン型のミニマウスの外観斜視図である。図８は、図７に示したミニマウスをタッチパネル上で移動させた状態を示す図である。
図７に示す実施形態の図１に示した実施形態との相違点は、電極を１個とし、ペン型に形成した点である。
【００３４】
すなわち、図７に示したミニマウス１０−４は、ペン型の筐体１１−４と、筐体１１−４の一端（先端）１１−４ｂに設けた電極Ｐ１と、一端が電極Ｐ１に接続され、筐体１１−４の他端（後端）１１−４ａから外部に露出された絶縁電線Ｌ１と、を有する。
筐体１１−４の材質は樹脂が挙げられる。
【００３５】
このミニマウス１０−４を使用する際は、筐体１１−４をペンのように持って電極Ｐ１がタッチパネル４１に接触するように蛇行させると、ミニマウス１０−４の軌跡に沿って図８に示すようなパターン４２−３が液晶表示素子に表示される。
【００３６】
［実施形態５］
図９は、他の実施形態に係るフィギア型のミニマウスの透視図である。図１０は、図９に示したミニマウスをタッチパネル上で移動させた状態を示す図である。
図９に示す実施の形態の図１に示した実施の形態との相違点は、絶縁電線の代わりにコンデンサで各電極間を接続した点である。
【００３７】
すなわち、図９に示したミニマウス１０−５は、筐体１１−１と、筐体１１−１の底板１１−１ｂに設けられた複数（図では３個であるが限定されない。）の電極Ｐ１、Ｐ２、Ｐ３と、各電極Ｐ１〜Ｐ３間を接続する所定の容量のコンデンサ３１、３２、３３と、を有する。コンデンサ３１〜３３は、ポリエステル・フィルム・コンデンサ、スチロールコンデンサ、マイカコンデンサ等が挙げられる。静電容量としては６０ＰＦ以上が好ましい。
図中３１ａ及び３１ｂはコンデンサ３１のリード線であり、３２ａ及び３２ｂはコンデンサ３２のリード線であり、３３ａ及び３３ｂはコンデンサ３３のリード線である。
このミニマウス１０−５を使用する際は、そのままミニマウス１０−５を移動させて指を離すと、タッチパネル４１の真下に設けられた液晶表示素子は、図１０に示すように電極Ｐ１〜Ｐ３の軌跡に沿ったパターン４２−４を表示する。
【００３８】
［実施形態６］
図１１は、他の実施形態に係る球体型のミニマウスの斜視図である。
図１１に示す実施の形態の図１に示した実施の形態との相違点は、筐体が球体であり、かつ、電極を多数配置した点である。
【００３９】
すなわち、図１１に示したミニマウス１０−６は、球体型の筐体１１−６と、筐体１１−６の表面に設けられた多数の電極Ｐ１、Ｐ２、Ｐ３、…と、各電極Ｐ１、Ｐ２、Ｐ３、…を短絡させる絶縁電線（図示せず）と、を有する。筐体１１−６は、半球殻状の筐体１１−６ａ、１１−６ｂとからなり、材質は樹脂が挙げられる。
【００４０】
このミニマウス１０−６を使用する際は、筐体１１−６ごといずれかの電極がタッチパネル４１に接触するように転がすと、ミニマウス１０−６の軌跡に沿って図１１に示すようなパターン４２−５が液晶表示素子に表示される。
【００４１】
［実施形態７］
図１２（ａ）は、他の実施形態に係る球体型のミニマウスの斜視図であり、図１２（ｂ）は、図１２（ａ）の領域Ａの拡大図である。
図１２（ａ）、（ｂ）に示す実施の形態の図１１に示す実施の形態との相違点は、電極及び絶縁電線に導電性薄膜としてのアルミ薄膜を用いた点である。
【００４２】
すなわち、図１２（ａ）、（ｂ）に示したミニマウス１０−７は、樹脂からなる２つの半球殻状の筐体１１−７ａ、１１−７ｂからなる球体型の筐体１１−７と、筐体１１−７の表面に設けられた多数のスリット５２と、多数のスリット５２を通して筐体１１−７の表裏にわたって貼り付けられた導電性のシール５３と、シール５３を覆うように筐体１１−７の表面から貼り付けられたアルミシール製の電極Ｐｂと、筐体１１−７の裏面に各シール５３と接続するように貼り付けられた導電性薄膜としてのアルミテープ５１と、を有する。
【００４３】
アルミテープ５１、シール５３、及び電極Ｐｂの裏面には導電性の粘着剤層が形成されている。
尚、アルミテープの代わりに銅箔テープやステンレステープ等の金属薄膜や導電性樹脂テープを用いてもよい。
【００４４】
このミニマウス１０−７を使用する際は、筐体１１−７ごといずれかの電極がタッチパネル４１に接触するように転がすと、ミニマウス１０−７の軌跡に沿って図１２（ａ）に示すようなパターン４２−６が液晶表示素子に表示される。
【００４５】
［実施形態８］
図１３（ａ）は、他の実施形態に係る直方体型のミニマウス１０−８の開放状態の斜視図であり、図１３（ｂ）は、図１３（ａ）のXIIIｂ−XIIIｂ線断面図である。
図１３（ａ）、（ｂ）に示す実施形態の図４（ａ）〜（ｃ）との相違点は、電極及び絶縁電線に導電性薄膜を用いるとともに、筐体の内面を導電性薄膜で被覆した点である。
すなわち、図１３（ａ）、（ｂ）に示したミニマウス１０−８は、開閉自在な直方体型の筐体１１−７と、筐体１１−７の筐体本体１１−７ｂの底面に形成されたスリット５２と、スリット５２を通して筐体本体１１−７ｂの外側から内側にわたって貼り付けられたアルミテープ５３と、筐体本体１１−７ｂの外側にアルミテープ５３を覆うように貼り付けられた電極Ｐｂ２と、筐体本体１１−７ｂから蓋体１１−７ａの内面にわたって被覆されたアルミテープ５１と、を有する。
電極Ｐｂ１〜Ｐｂ３はアルミテープ５３によりアルミテープ５１で短絡されている。
【００４６】
アルミテープ５１、５３、及び電極Ｐｂ２にはいずれも導電性の粘着剤層が形成されている。
【００４７】
このミニマウス１０−８を使用する際は、閉じた状態の筐体１１−８を、底面の電極Ｐｂ１〜Ｐｂ３がタッチパネル４１に接触するように移動させると、ミニマウス１０−７の軌跡に沿ったパターンが液晶表示素子に表示される。
【００４８】
［実施形態８］
図１４（ａ）は、他の実施形態に係る直方体型のミニマウス１０−９の筐体本体の斜視図であり、図１４（ｂ）は、図１４（ａ）の矢印Ｂ方向の矢視図であり、図１４（ｃ）は、蓋１１−９ａの内面側の斜視図である。
【００４９】
図１４（ａ）〜（ｃ）に示す実施形態の図４（ａ）〜（ｃ）に示した実施の形態との相違点は、絶縁電線の代わりに導電性薄膜を用いるとともに、蓋の内側にも導電性薄膜を用いた点である。
【００５０】
すなわち、図１４（ａ）〜（ｃ）に示したミニマウス１０−９は、樹脂からなる直方体型の筐体本体１１−９ｂと、筐体本体１１−９ｂの底面に設けられた電極Ｐ１〜Ｐ３と、電極Ｐ１〜Ｐ３を筐体本体１１−９ｂの内側底面を覆うアルミテープ５１と、アルミテープ５１から筐体本体１１−９ｂの側壁にわたって貼り付けられた複数（図では４枚であるが限定されない。）の導電性薄膜としてのアルミテープ５３ａ、５３ｂ、５３ｃ、５３ｄと、蓋１１−９ａと、蓋１１−９ａに設けられ筐体本体１１−９ｂを覆ったときに、アルミテープ５３ａ、５３ｃと接触するように蓋１１−９ａの内側に貼り付けられたアルミテープ５４ａと、アルミテープ５３ｂ、５３ｄと接触するように蓋１１−９ａの内側に貼り付けられたアルミテープ５４ｂと、を有する。
【００５１】
筐体本体１１−９ｂを蓋１１−９ａで覆ったミニマウス１０−９を使用する際は、筐体本体１１−９ｂを、底面の電極Ｐ１〜Ｐ３がタッチパネル４１に接触するように移動させると、ミニマウス１０−９の軌跡に沿ったパターンが液晶表示素子に表示される（図示せず。）。
【００５２】
［応用例］
ここで、本発明に係るミニマウスは、イベント等で専用ガジェットとして製作したものに、来場者がiPhone(登録商標)を手で持って触れることで来場者のiPhone(登録商標)のアプリケーションソフトウェアにトリガーを入れることが可能となる。例えば、テーマパークのＡという入り口から入場した人には「Ａ」というトリガーを入れ、Ｂという入り口から入場した人には「Ｂ」というトリガーを入れることが可能である。
【００５３】
尚、上述した実施の形態は、本発明の好適な実施の形態の一例を示すものであり、本発明はそれに限定されることなく、その要旨を逸脱しない範囲内において、種々変形実施が可能である。
例えば、上述した実施の形態では、電極の形状が円形であるが、本発明はこれに限定されるものではなく、楕円、長円、三角形、多角形、環状のいずれであってもよい。
【符号の説明】
【００５４】
１、４１    タッチパネル
２    保護カバー
３    電極層
３ａ、３ｂ    透明電極層
４    ガラス基板
１０−１、１０−２、１０−３、１０−４、１０−５、１０−６、１０−７、１０−８、１０−９    ミニマウス
１１−１、１１−２、１１−３、１１−４、１１−５、１１−６、１１−７、１１−８    筐体
３１、３２、３３    コンデンサ
４０    情報端末
４２−１、４２−２、４２−３、４２−４、４２−５    パターン
５１、５３ａ、５３ｂ、５３ｃ、５３ｄ、５４ａ、５４ｂ    導電性薄膜（アルミテープ）
５２    スリット
Ｌ１、Ｌ２、Ｌ３    絶縁電線
Ｐａ、Ｐｂ、Ｐｂ１、Ｐｂ２、Ｐｂ３    電極
【図１】
2016106285.tif 000003
【図２】
2016106285.tif 000004
【図３】
2016106285.tif 000005
【図４】
2016106285.tif 000006
【図５】
2016106285.tif 000007
【図６】
2016106285.tif 000008
【図７】
2016106285.tif 000009
【図８】
2016106285.tif 000010
【図９】
2016106285.tif 000011
【図１０】
2016106285.tif 000012
【図１１】
2016106285.tif 000013
【図１２】
2016106285.tif 000014
【図１３】
2016106285.tif 000015
【図１４】
2016106285.tif 000016
【図１５】
2016106285.tif 000017